(57)【特許請求の範囲】
【請求項１】
建築物の平行に配置された横架材の間に嵌め込まれて幅方向に端部が隣接するように配置される複数枚のスラブパネルの長さ方向の両端部が受け材に載置して支持され、前記スラブパネルと該スラブパネルが嵌め込まれた前記横架材との間にクリアランスが両側面の両端若しくは片側に５〜２０mm設けられ、該スラブパネル上に、該スラブパネルの長さ方向の両端部が嵌め込まれる前記横架材相互の離間間隔よりも長辺が長い長方形の複数の構造用面材が相互に隣接して配置され、前記構造用面材はその短辺が前記横架材に対して点状または線状で固定されると共に、その長辺が前記横架材または前記スラブパネルに対して点状または線状で固定されており、前記スラブパネルは前記構造用面材よりも面外曲げ剛性が大きいことを特徴とする床スラブ構造。
【請求項２】
前記複数の構造用面材の互いに隣接する目地部近傍が同一の前記スラブパネルまたは同一の前記横架材に固定されたことを特徴とする請求項１に記載の床スラブ構造。
【請求項３】
前記クリアランスに前記スラブパネル及び横架材よりも弾性率の低い充填材を充填したことを特徴とする請求項１に記載の床スラブ構造。
【請求項４】
前記構造用面材と前記スラブパネルとの間に平面状の中間部材を介在させたことを特徴とする請求項１に記載の床スラブ構造。
【発明の詳細な説明】
【０００１】
【発明の属する技術分野】
本発明は、建築物における床のスラブ面を構成する床スラブ構造に関するものである。
【０００２】
【従来の技術】
従来の床スラブ構造として、例えば、実用新案登録第2521524号公報（第１公知例）に開示された技術は、図５に示すように、床梁51及び胴差し56間に固定された受け部材52上にＡＬＣ（軽量気泡コンクリート）パネル53が載置され、床梁51、胴差し56及びＡＬＣパネル53上に木質面材54がゴム系接着剤55または釘打ちによって貼付されている。
【０００３】
木質面材54の水平方向に突出した周端部54ａ，54ｂは胴差し56及び床梁51に載架され、壁パネル57側の周端部54ａは胴差し56の上端部内側に木質面材54の厚さ分だけ形成された切欠部56ａに挿入されている。上階の壁パネル57の下部枠材57ａと下階の壁パネル58の上部枠材58ａとは胴差しボルト59により連結されて木質面材54の周端部54ａが壁パネル57の下部枠材57ａと胴差し56との間で挟持されている。
【０００４】
上記構成において、地震等による床部50に加わる水平力は垂直面となる壁パネル57，58から木質面材54に伝達され、該木質面材54から同質の主要構造材である床梁51に効率よく分散伝達されてコンクリート系床体であるＡＬＣパネル53には剪断力がほとんど加わらず、ＡＬＣパネル53の座屈等を防止することが出来るとしている。
【０００５】
即ち、地震等によって床部50に負担がかかった場合、木質面材54の周端部54ａ，54ｂが壁パネル57，58を連結する胴差し56及び床梁51に連結されているので木質面材54が主に水平方向の力を受けて該木質面材54から胴差し56及び床部50を介して壁等にその力を有効に分散することが出来るものである。
【０００６】
この時、ＡＬＣパネル53には周囲の構造材からの外力がほとんど加わらず、ＡＬＣパネル53に面内剪断力（スラブ面を含む平面方向から受ける力による剪断力）が加わらないことにより地震等においてもＡＬＣパネル53を保障することが出来、その構築物の損傷等を少なくすることが出来るとしたものである。
【０００７】
また、図６に示す第２公知例では、床梁71、胴差し73及び該胴差し73に渡された根太74の上部に構造用合板75が載置され、床梁71に渡された受材72により継目が支持された構造用合板75が釘76により床梁71、胴差し73及び根太74に固定されている。
【０００８】
【発明が解決しようとする課題】
しかしながら、前述の各公知例において、第１公知例では、ＡＬＣパネル53と床梁51との間にほとんど隙間がないため、特に該ＡＬＣパネル53の周囲の隙間にモルタル60を充填した場合には、ＡＬＣパネル53と床梁51との間で発生する変形の吸収が出来ないこととなる。
【０００９】
また、上述のように主要構造材である木質面材54が極めて複雑に取り合って連結されるため一部の部材に生じる熱、水分移動に伴う膨張収縮により生じる部材の反り等の変形の逃げ場がないため、比較的弱い部材に損傷が生じたり、部材間の摩擦による不快音（床鳴り）が発生し易いという問題があった。
【００１０】
また、第２公知例において、地震等の水平力によって床面に生じる面内剪断力に対しては構造用合板75が抵抗するが、根太74は床梁71や胴差し73に対して断面積が小さいため構造用合板75に伝達される面内剪断力は主に該構造用合板75の周辺部が固定された床梁71や胴差し73を介して伝達される上、構造用合板75は薄いため強い面内剪断力を受けた際に面外（構造用合板75を含む平面に交差する方向）に変形を生じてその抵抗力が低下するという問題があった。また、構造用合板75に生じる応力分布も一様ではなく床梁71や胴差し73の周囲に著しく偏っているため構造用合板75の耐久性能を低下させる虞があった。
【００１１】
また、構造用合板75から根太74に強い剪断力が加わった際に該根太74は断面積が小さいため該根太74が引き裂かれて急激な耐力低下を生じる虞があった。また、根太74は床梁71や胴差し73に比べて断面積が小さいため面内方向及び面外方向に反りや回転等の変形が生じ易く、構造用合板75に支障を与えたり、面外の剛性不足のため遮音性が悪いという問題があった。
【００１２】
本発明は前記課題を解決するものであり、その目的とするところは、簡単な施工により地震等の水平力によって床面に生じる面内剪断力に対して構造用面材が抵抗する床スラブ構造であって、面内剪断耐力に優れ、床鳴りを防止すると共に各部材の取り合いが簡単で各部材の寸法誤差や取り付け誤差或いは熱、水分移動に伴う膨張収縮により生じる部材の反り等の変形の影響を受け難く、施工管理が容易で施工時のスラブパネルの保全を確保することが出来る床スラブ構造を提供せんとするものである。
【００１３】
【課題を解決するための手段】
前記目的を達成するための本発明に係る床スラブ構造は、建築物の平行に配置された横架材の間に嵌め込まれて幅方向に端部が隣接するように配置される複数枚のスラブパネルの長さ方向の両端部が受け材に載置して支持され、前記スラブパネルと該スラブパネルが嵌め込まれた前記横架材との間にクリアランスが両側面の両端若しくは片側に５〜２０mm設けられ、該スラブパネル上に、該スラブパネルの長さ方向の両端部が嵌め込まれる前記横架材相互の離間間隔よりも長辺が長い長方形の複数の構造用面材が相互に隣接して配置され、前記構造用面材はその短辺が前記横架材に対して点状または線状で固定されると共に、その長辺が前記横架材または前記スラブパネルに対して点状または線状で固定されており、前記スラブパネルは前記構造用面材よりも面外曲げ剛性が大きいことを特徴とする。
【００１４】
上記構成によれば、建築物の平行に配置された横架材の間に嵌め込まれて幅方向に端部が隣接するように配置され、長さ方向の両端部が支持部材に載置して支持された複数枚のスラブパネル上に複数の構造用面材が相互に隣接して配置され、前記横架材及び前記スラブパネルに前記複数の構造用面材の一部が固定されたことで、地震等により建物に加わる水平力は横架材から構造用面材に効果的に伝達される。
【００１５】
また、構造用面材に加わる垂直荷重は該構造用面材に面的に接触するスラブパネルに伝達されてスラブ面の鉛直方向の高い曲げ剛性が得られ、スラブ面の変位が生じ難い。また、スラブ面の鉛直方向の振動、衝撃に対する抵抗力が高まり、下階に振動、衝撃が伝わり難く遮音性にも優れる。また、構造用面材とスラブパネルが面的に接触することから構造用面材を取り付ける根太の反りや回転等の変形を防止し、更に遮音性を向上させ、更には大きな施工誤差を許容することが出来る。
【００１６】
また、複数の構造用面材の互いに隣接する目地部近傍がスラブパネルまたは横架材に固定されたことで、隣接する構造用面材相互の面外の目地ずれを防止して床面段差をなくすことが出来る上、面内の目地ずれも防止出来るので、面内剪断耐力及び面内剪断剛性に優れた床スラブ構造を得ることが出来る。
【００１７】
即ち、本発明では、建築物の平行に配置された横架材の間に嵌め込まれて幅方向に相互に隣接して配置される複数枚のスラブパネルの長さ方向の両端部が受け材に載置して支持されるため、予め横架材を平行に配置し、該横架材に受け材を取り付けた後にスラブパネルを施工しても施工が容易で且つ横架材とスラブパネルを平行に配置する場合に比べ、スラブパネルと受け材及び横架材との間に施工の際、大きな角度誤差が許容されるため、スラブパネルの施工の際、損傷が生じ難い。
【００１８】
また、スラブパネルの製品の長辺と短辺との間の直角度の誤差も大きく許容される。また、スラブパネルは幅方向に複数枚隣接して配置されるため一枚一枚のスラブパネルに生じる製品誤差を一枚一枚毎に修正しながら慎重に施工したり、一枚一枚毎に部材間にクリアランスを設ける必要がない。複数枚の幅方向に隣接するスラブパネルの側面の両端若しくは片側に５〜２０mm程度のクリアランスを設ければ良い。また、スラブパネルの長さ方向の側面の両端若しくは片側に同様に５〜２０mm程度のクリアランスを設ければ良い。
【００１９】
また、各部材の取り合いが簡単で各部材の寸法誤差や取り付け誤差の影響を受け難く施工管理が容易で安定した面内剪断耐力の確保が出来、施工時のスラブパネルの保全を確保することが出来る。
【００２０】
また、前記スラブパネルの面外曲げ剛性（スラブパネル面を含む平面方向と交差する方向から受ける力（鉛直方向成分を含む力）に対する曲げ剛性）が前記構造用面材のそれよりも大きいことから、構造用面材よりも面外曲げ剛性の大きいスラブパネルに該構造用面材が面的に接触することで該構造用面材の面外曲げ剛性がスラブパネルにより補強され、構造用面材に面内力（水平方向の力）による座屈が生じ難く、該構造用面材の保全を確保することが出来る。
【００２１】
また、前記スラブパネルと該スラブパネルが嵌め込まれた前記横架材との間にクリアランスを設けたので、スラブパネルの製品寸法誤差を吸収することが出来、スラブパネルを横架材の間に嵌め込む作業が容易である。また、各部材に生じる熱、水分移動に伴う膨張収縮により生じる反り等の変形の逃げ場が確保出来、各部材に損傷が生じたり、部材間の摩擦による不快な音（床鳴り）の発生を防止出来るので好ましい。また、施工後のメンテナンスや補強工事等も容易である。
【００２２】
また、音、熱、火の漏れを防止するために前記クリアランスに前記スラブパネル及び横架材よりも弾性率が低い適当な材質の充填材を充填することが出来る。
【００２３】
前記構造用面材が前記横架材または前記スラブパネルに対して点状または線状で固定されたので、接着剤により全面接着固定した場合と比較して各部材に生じる熱、水分移動に伴う膨張収縮により生じる反り等の変形がある程度許容出来る。
【００２４】
また、前記構造用面材と前記スラブパネルとの間に平面状の中間部材を介在させた場合には、スラブパネルの上面と横架材の上面との予期せぬ段差（不陸）を吸収することが出来る。また、中間部材の厚さ寸法を調整することでスラブ面のレベル調整が容易に出来る。また、中間部材を介在させたことで上下階の遮音性を向上させることが出来る。
【００２５】
【発明の実施の形態】
図により本発明に係る床スラブ構造の一例として木造建築物の床に適用された床スラブ構造の一実施形態を具体的に説明する。図１は本発明に係る床スラブ構造の第１実施形態の構成を示す斜視図、図２は本発明に係る床スラブ構造の第２実施形態の構成を示す断面説明図、図３は本発明に係る床スラブ構造の第３実施形態の構成を示す断面説明図、図４は図３の左右方向から見た断面説明図である。尚、以下に示す各部材の寸法及び材質等は具体的実施形態の一例を示すものであり、これ等に限定されるものではない。
【００２６】
先ず、図１を用いて本発明に係る床スラブ構造の第１実施形態について説明する。図１に示すように、柱１及び横架材となる大梁２ａ，２ｂを躯体構造とする木造住宅等の建築物における床を構成する床スラブ構造Ａは、平行に配置された木製の大梁２ａ、小梁２ｃの間に嵌め込まれて幅方向に端部が隣接するように配置される複数枚のスラブパネルとなるＡＬＣ（軽量気泡コンクリート）パネル３の長手方向端部が大梁２ａ及び小梁２ｃの側面に長手方向に配置して固定された支持部材となる木製の受け材４上に載置して支持されている。
【００２７】
平行に配置された横架材となる大梁２ａ及び小梁２ｃは、例えば、幅１２０mm、高さ寸法２７０mmを有する木製の大梁２ａ及び小梁２ｃが夫々２ｍの間隔を有して複数本平行に配置され、該大梁２ａと直交する方向に幅１２０mm、高さ寸法２７０mmを有する木製の大梁２ｂが連結されている。大梁２ａ，２ｂ及び小梁２ｃの上面レベルは互いに面一に形成されている。
【００２８】
尚、横架材となる大梁２ａ，２ｂ、或いは小梁２ｃは木質製の他に金属製、コンクリート製のものを適宜使用することが出来、横架材の配置、寸法、形状等は建物の形状、用途、要求性能等に応じて適宜設計されるものである。
【００２９】
大梁２ａの側面に設けられた支持部材となる受け材４は、上部幅６０mm、下部幅３０mm、高さ寸法９０mmを有する断面台形状に形成された木製のものを使用しており、図示しない軸径２〜６mmの釘をピッチが１００〜２００mmで大梁２ａ及び小梁２ｃに打ちつけて固定されている。
【００３０】
スラブパネルとなるＡＬＣパネル３は、幅方向に隣接して平行に配置された大梁２ａの間に嵌め込まれると共に該ＡＬＣパネル３の長手方向端部が受け材４上に複数枚平行に並べて架け渡されて載置して支持されている。
【００３１】
ＡＬＣパネル３の長手方向の寸法は大梁２ａ及び小梁２ｃ相互の間隔よりも所定の寸法だけ短く設定されており、これにより大梁２ａ及び小梁２ｃとＡＬＣパネル３の長手方向端部との間に所定のクリアランスが形成されている。
【００３２】
ＡＬＣパネル３は、例えば、幅３００〜６００mmで、主として幅５００mmのものを用い、長さ１８６０mm、厚さ１００mmを有して構成されている。ＡＬＣパネル３の厚さは好ましくは３０〜１５０mmであれば良い。特に好ましくは７５〜１２５mmが良い。
【００３３】
受け材４はその上面が大梁２ａの上面より１００mmだけ下側に取り付けられており、これによりＡＬＣパネル３の上面と大梁２ａの上面とが面一になるように設定されている。
【００３４】
尚、本実施形態ではスラブパネルとしてＡＬＣパネル３を採用した場合について説明するが、他の構成としてセメント系材料、木質材料、プラスチック、金属等やこれらの複合材を用いても良い。スラブパネルとしてＡＬＣパネル３を使用した場合には強度、遮音性、断熱性、加工性、設計自由度等に優れており、且つ低価格であるため好ましい。
【００３５】
ＡＬＣパネル３の上面及び大梁２ａ，２ｂ及び小梁２ｃの上面には、該ＡＬＣパネル３及び大梁２ａ，２ｂ及び小梁２ｃに面的に接触して複数枚の構造用面材となる構造用合板５が平行に並べて載置され、構造用合板５の一部が横架材となる大梁２ａ，２ｂ及び小梁２ｃに固定されると共に該複数の構造用合板５の互いに隣接する目地部近傍が同一のスラブパネルとなるＡＬＣパネル３または同一の大梁２ａ，２ｂ及び小梁２ｃに固定される。尚、構造用面材としては構造用合板の他にパーティクルボードや木質系面材、セメント系面材、強化石膏ボード等が適用可能である。
【００３６】
即ち、本実施形態では、図１に示すように、厚さ１５mm、幅１０００mm、長さ２０００mmの構造用合板５が平行に配置された大梁２ａ及び小梁２ｃに沿って該大梁２ａ、小梁２ｃ及び３枚のＡＬＣパネル３に亘って該大梁２ａ、小梁２ｃ及びＡＬＣパネル３の上面に面的に接触して平行に並べて載置される。また、大梁２ｂに隣接する構造用合板５は大梁２ｂの上面にも面的に接触して載置される。構造用合板５の厚さは好ましくは６〜４０mmであり、更に好ましくは８〜２５mmであれば良い。
【００３７】
そして、構造用合板５の４辺のうちのいずれかの辺で大梁２ａ，２ｂ及び小梁２ｃの上面上に載置される部分は、例えば、軸径２〜４mm、長さ５０〜９０mmの釘６を構造用合板５の上面側から１００〜２００mmのピッチで大梁２ａ，２ｂ及び小梁２ｃに打ちつけて固定され、該構造用合板５の４辺のうちの他の構造用合板５と互いに隣接する目地部近傍の辺でＡＬＣパネル３の上面上に載置される部分は、軸径３〜８mm、長さ３０〜１２０mmのＡＬＣ専用ビス７を構造用合板５の上面側から１００〜９００mmのピッチでＡＬＣパネル３に打ちつけて固定される。
【００３８】
また、構造用合板５の長辺方向における中間部にも同じく軸径３〜８mm、長さ３０〜１２０mmのＡＬＣ専用ビス７を大梁２ｂに平行に構造用合板５の上面側から１００〜９００mmのピッチでＡＬＣパネル３に打ちつけて固定される。また、柱１に隣接する構造用合板５には該柱１の形状に対応する切り欠き５ａが形成されて納まっている。
【００３９】
尚、これらの釘６やＡＬＣ専用ビス７は、その軸径或いは長さを大きくすることで打ち込みピッチをより大きくすることが出来、釘６やＡＬＣ専用ビス７の打ち込み総数を削減して部品コスト及び作業工数を低減することが出来る。
【００４０】
図１に示すように、構造用合板５の長辺目地部近傍は同一のＡＬＣパネル３に固定され、構造用合板５の短辺目地部近傍は同一の大梁２ａ，２ｂ及び小梁２ｃに固定されているため、互いに隣接する構造用合板５同士に発生する目地ずれは極めて小さく、これによって構造用合板５は一体化され、優れた剪断耐力及び剪断剛性を発揮する。
【００４１】
尚、隣接する構造用合板５の長辺目地部近傍が各々別個のＡＬＣパネル３に固定される場合は、目地ずれの防止効果が低減するが実用上問題となることは少ない。
【００４２】
構造用合板５の４辺を固定するＡＬＣ専用ビス７は、できるだけ構造用合板５の端部近くに設け、互いに隣接する構造用合板５を固定するＡＬＣ専用ビス７の列の間隔が小さい程、構造用合板５相互の目地ずれ防止効果は高くなる。
【００４３】
但し、ＡＬＣ専用ビス７は構造用合板５及びＡＬＣパネル３からなるスラブ面が所要の剪断強度を発揮する必要な間隔を超えて近づけたりＡＬＣパネル３の端部に寄せ過ぎてはならない。
【００４４】
従って、ＡＬＣ専用ビス７の列の間隔は２０〜３００mmが好ましく、更に好ましい間隔は３０〜１００mmで、ＡＬＣパネル３の端部から３０mm以上内側で更に好ましくは５０mm以上内側に設ければ良い。
【００４５】
構造用合板５の幅中央部はピッチ１００〜５００mmでＡＬＣ専用ビス７によりＡＬＣパネル３に固定されているため、該構造用合板５が面内剪断力（構造用合板５を含む平面方向に作用する剪断力）を受けた際に該構造用合板５よりも面外曲げ剛性が大きいＡＬＣパネル３により補強されて構造用合板５が面外（構造用合板５を含む平面と交差する方向）に座屈することがなく、粘り強く優れた剪断耐力を発揮することが出来る。また、温度差、水分移動等による膨張収縮による構造用合板５の反り等の変形を抑止出来る。
【００４６】
一枚の構造用合板５が平行に配置された横架材である大梁２ａ、小梁２ｃの間に掛け渡され、該構造用合板５の長さ方向の両端部が該大梁２ａ及び小梁２ｃに釘により固定されているため、該構造用合板５は大梁２ａ及び小梁２ｃ間に作用する剪断力を直接負担することが出来るので本実施形態の床スラブ構造は優れた剪断耐力を有する。
【００４７】
スラブパネルとなるＡＬＣパネル３の面外曲げ剛性は構造用合板５のそれよりも大きい値で構成されており、構造用合板５よりも面外曲げ剛性の大きいＡＬＣパネル３に該構造用合板５が面的に接触することで該構造用合板５の面外曲げ剛性がＡＬＣパネル３により補強され、構造用合板５に面内力による座屈が生じ難く、該構造用合板５の保全を確保することが出来るようになっている。
【００４８】
即ち、単位幅当たりの面外曲げ剛性ＥＩは面外曲げ弾性係数Ｅに単位幅当たりの断面二次モーメントＩを乗じて、以下の数１式により得られる。
【００４９】
〔数１〕
ＥＩ［Ｎ・ｍ2 ］＝Ｅ［Ｎ／ｍ2 ］×Ｉ［ｍ4 ］
【００５０】
スラブパネルであるＡＬＣパネル３の単位幅当たりの面外曲げ剛性ＥＩは、構造用合板５の単位幅当たりの面外曲げ剛性ＥＩの５倍以上で１万倍以下の範囲が好ましく、中でも３０倍から３０００倍の範囲で用いるのが性能と経済性の点から更に好ましい。
【００５１】
具体的にはＡＬＣパネル３の単位幅当たりの面外曲げ剛性ＥＩは８０００〜５００万［Ｎ・ｍ2 ］、構造用合板５の単位幅当たりの面外曲げ剛性ＥＩは１００〜４００００［Ｎ・ｍ2 ］のものから適宜組み合わせて用いると好ましい。
【００５２】
一方、面内剪断剛性ＧＡは面内剪断弾性係数Ｇに断面積Ａを乗じて、以下の数２式により得られる。
【００５３】
〔数２〕
ＧＡ［Ｎ］＝Ｇ［Ｎ／ｍ2 ］×Ａ［ｍ2 ］
【００５４】
スラブパネルであるＡＬＣパネル３の面内剪断剛性ＧＡは、構造用合板５の面内剪断剛性ＧＡと少なくとも同等程度の性能がなければ隣接する構造用合板５の目地部近傍の継ぎ目の目地ずれ防止効果が薄れる。
【００５５】
一般的には、ＡＬＣパネル３の単位幅当たりの面内剪断剛性ＧＡは１×１０7〜１×１０9 ［Ｎ］、構造用合板５の単位幅当たりの面内剪断剛性ＧＡは５×１０6 〜５×１０8 ［Ｎ］のものから適宜組み合わせて用いると好ましい。
【００５６】
本実施形態では、平行に配置された大梁２ａ及び小梁２ｃの間に嵌め込まれて幅方向に相互に隣接して配置される複数枚のＡＬＣパネル３の長手方向端部が受け材４に載置して支持されるため、予め大梁２ａ及び小梁２ｃを平行に配置し、該大梁２ａ及び小梁２ｃに受け材４を取り付けた後にＡＬＣパネル３を施工しても施工が容易で、且つ大梁２ａ及び小梁２ｃを平行に配置する場合に比べてＡＬＣパネル３と受け材４及び大梁２ａ、小梁２ｃとの間に施工の際、大きな角度誤差が許容されるため、ＡＬＣパネル３の施工の際、損傷が生じ難い。
【００５７】
また、ＡＬＣパネル３の製品の長辺と短辺との間の直角度の誤差も大きく許容される。また、ＡＬＣパネル３は幅方向に複数枚隣接して配置されるため、一枚一枚のＡＬＣパネル３に生じる製品誤差を一枚一枚毎に修正しながら慎重に施工したり、一枚一枚毎に部材間にクリアランスを設ける必要がない。複数枚の幅方向に隣接するＡＬＣパネル３の両端若しくは片側に予想される製品誤差に応じて５〜２０mm程度のクリアランスを設ければ良い。
【００５８】
図１において、構造用合板５の互いに隣接する目地部近傍が固定されたＡＬＣパネル３ａは、構造用合板５の相互の目地ずれを抑止すると共に構造用合板５の面外座屈を抑止し、構造用合板５の面内剪断耐力を高める作用を有し、構造用合板５の幅中央部が固定されたＡＬＣパネル３ｂは構造用合板５の面外座屈を抑止する作用を主に有する。
【００５９】
また、構造用合板５がＡＬＣパネル３や大梁２ａ，２ｂ及び小梁２ｃに対して釘６、ＡＬＣ専用ビス７により点状に固定されるため、接着剤により構造用合板５とＡＬＣパネル３、大梁２ａ，２ｂ及び小梁２ｃとを全面接着固定した場合と比較して各部材に生じる熱、水分移動に伴う膨張収縮により生じる反り等の変形を吸収出来るので好ましい。
【００６０】
スラブパネルとしては、必要な鉛直支持力を備え、且つ構造用合板５の必要な固定強度を有するものでセメント硬化体、木製、金属製等のものから適宜選択するが、中でも厚さ７５〜１２５mmのＡＬＣパネル３を用いると経済的である。
【００６１】
ＡＬＣパネル３と大梁２ａ，２ｂとの間には５〜２０mm程度のクリアランスを設け、施工誤差、製品寸法誤差を吸収すると共にＡＬＣパネル３を大梁２ａ及び小梁２ｃ間に嵌め込む作業を容易にしている。
【００６２】
また、一組の大梁２ａ，２ｂ内にＡＬＣパネル３を順次並べて嵌め込んでいくと最後の１枚のＡＬＣパネル３を嵌め込む作業が困難となり、ＡＬＣパネル３を落とし込んだ際に該ＡＬＣパネル３に欠損が生じ易いが、外径１〜５mm程度のピアノ線等の線状部材や厚さ１〜３mm程度の帯状部材等をＡＬＣパネル３の長さ方向の両端近くに掛け、該ＡＬＣパネル３を平吊りした状態で所定位置まで下げ降ろすと最後の１枚のＡＬＣパネル３を嵌め込む作業が容易に出来る。
【００６３】
尚、上記ＡＬＣパネル３と大梁２ａ，２ｂ及び小梁２ｃとの間に設けたクリアランスには、特に耐火、遮音、断熱等の要求に応じて適宜ＡＬＣパネル３及び大梁２ａ，２ｂよりも弾性率の低いセラミックファイバー、ロックウール、グラスウール、発泡ポリエチレン、発泡ウレタン等の充填材を充填するのが好ましい。
【００６４】
また、各部材に生じる熱、水分移動に伴う膨張収縮により生じる反り等の変形の逃げ場が確保出来、各部材に損傷が生じたり、各部材間の摩擦による不快な音（床鳴り）の発生を防止出来、好ましい。
【００６５】
また、ＡＬＣパネル３の相互間にも製品、施工の誤差調整のために適宜クリアランスを設けても実用上無視出来、設計施工の自由度が高くなるので好ましい。
【００６６】
構造用合板５は要求される性能に応じて、例えば、厚さ６〜４０mmの構造用合板を用いるが、構造用合板以外には厚さ６〜４０mmのパーティクルボード、厚さ６〜４０mmのセメント系ボード、厚さ１〜１０mmの金属板若しくは金属製折板等から適宜選択すれば良い。
【００６７】
また、構造用合板５の断面形状は種々のものを用いることが出来、例えば、長方形状、重ね継ぎ手（フィンガージョイント）形状及び本実施形態の形状に加えて適宜面外強度を補強するためのリブや角欠損を防止するための面取りを設けた形状等で構成することが出来る。
【００６８】
尚、構造用合板５とＡＬＣパネル３との固定はＡＬＣ専用ビス７以外にも接着材により固着することでも良い。この場合、接着材を接着幅１〜１０mm、離間間隔１〜１０mm程度で櫛目引きに塗布して固着することで、構造用合板５がＡＬＣパネル３に対して線状に固定されるため、接着剤により構造用合板５とＡＬＣパネル３、大梁２ａ，２ｂとを全面接着固定した場合と比較して各部材に生じる熱、水分移動に伴う膨張収縮により生じる反り等の変形がある程度許容出来るので好ましい。尚、櫛目はＡＬＣパネル３の幅方向と一致させるとより効果がある。
【００６９】
また、酢酸ビニール系接着剤を接着幅３mm、離間間隔３mm程度で、０．５〜１kg/m2 程度の量で櫛目引き塗布して構造用合板５とＡＬＣパネル３とを固着した場合には、ＡＬＣパネル３及び大梁２ａ，２ｂ及び小梁２ｃと構造用合板５との間に若干生じる不陸（段差）を吸収出来る。
【００７０】
釘６及びＡＬＣ専用ビス７は頭部が逆三角形状であり、頭部の上面が構造用合板５の表面と略面一になるように大梁２ａ，２ｂ、小梁２ｃ及びＡＬＣパネル３に打ち込まれている。
【００７１】
上記構成によれば、複数の構造用合板５の一部が横架材となる大梁２ａ，２ｂ及び小梁２ｃに固定されたことで、地震等により建物に加わる水平力は大梁２ａ，２ｂ及び小梁２ｃから構造用合板５に効果的に伝達される。
【００７２】
また、構造用合板５に加わる垂直荷重は該構造用合板５に面的に接触するＡＬＣパネル３に伝達されてスラブ面の鉛直方向の高い曲げ剛性が得られ、スラブ面の変位が生じ難い。また、スラブ面の鉛直方向の振動、衝撃に対する抵抗力が高まり、下階に振動、衝撃が伝わり難い。
【００７３】
また、複数の構造用合板５の互いに隣接する目地部近傍が同一のＡＬＣパネル３または同一の大梁２ａに固定されたことで隣接する構造用合板５相互の目地ずれが効果的に防止出来、面内剪断耐力に優れた床スラブ構造を得ることが出来る。
【００７４】
また、図５に示して前述した第１公知例と比較して大梁２ａ，２ｂ、小梁２ｃ、ＡＬＣパネル３及び構造用合板５の取り合いが簡単で各部材の寸法誤差や取り付け誤差の影響を受け難く施工管理が容易で乾式工法により安定した面内剪断耐力の確保が出来、施工時のＡＬＣパネル３の欠けを防止することが出来る。
【００７５】
また、面外に変形し易く局所的な大きな応力に対する抵抗力が小さい薄い構造用合板５であってもＡＬＣパネル３に補強されることで該構造用合板５の面内剪断耐力を積極的に活かすことが出来る。
【００７６】
また、構造用合板５、ＡＬＣパネル３、横架材２の順に厚みを大きく構成し、振動源から発散場所に向かって順に曲げ剛性を大きくした場合は、衝撃や振動の伝達が更に抑制され、好ましい。
【００７７】
また、受け材４上にＡＬＣパネル３を載置することで作業足場が出来るので、ＡＬＣパネル３を大梁２ａ及び小梁２ｃの間に落とし込んだ際に直ちに足場が確保出来、作業の安全性が確保され、別途足場を用意する必要がないので作業性が良い。
【００７８】
次に、図２を用いて本発明に係る床スラブ構造の第２実施形態について説明する。尚、前記第１実施形態と同様に構成したものは同一の符号を付して説明を省略する。
【００７９】
図２に示すように、本実施形態の床スラブ構造Ｂでは、複数本平行に配置された大梁２ａ及び小梁２ｃの側面に山形鋼からなる長尺状の受け材11が起立片11ａが水平片11ｂよりも上方になるように配置して軸径５mm、長さ５０mmのビス12により固定されており、大梁２ａ，２ｂ及び小梁２ｃの上面と受け材11により載置して支持されるＡＬＣパネル３の上面とが略面一になるように設定されている。
【００８０】
大梁２ａ，２ｂ及び小梁２ｃの上面及びＡＬＣパネル３の上面には平面状の中間部材13が敷設されており、該中間部材13上に構造用合板５が載置されて該構造用合板５が中間部材13を介して大梁２ａ，２ｂ及び小梁２ｃ上に載置された部分は軸径３．３mm、長さ６３．５mmの釘６を構造用合板５の上面側から１００〜２００mmのピッチで大梁２ａ，２ｂ及び小梁２ｃに打ちつけて固定され、構造用合板５が中間部材13を介してＡＬＣパネル３上に載置された部分は軸径６mm、長さ７０〜９０mmのＡＬＣ専用ビス７を大梁２ｂに平行に構造用合板５の上面側から１００〜５００mmのピッチでＡＬＣパネル３に打ちつけて固定される。
【００８１】
尚、これ等の釘６、ＡＬＣ専用ビス７は前述と同様にその軸径或いは長さを大きくすることにより打ち込みピッチを大きくすることが出来る。
【００８２】
本実施形態では、前記受け材11は断面Ｌ字型で直交する各片の幅が６５mm、厚さ６mmのものを使用し、軸径５mmのビス12または木ねじを打ち込むための直径６mmの下穴が複数形成されている。
【００８３】
ビス12は受け材11の上端から下方に１５mmの位置に５０〜３００mmのピッチで受け材11側から大梁２ａ及び小梁２ｃに対して打ちつけられると共に該受け材11の上端から下方に４５mmの位置に上記ピッチの１〜３倍程度のピッチで同じく受け材11側から大梁２ａ及び小梁２ｃに対して打ちつけられる。尚、ビス12の代わりに釘やアンカー、ボルト等を用いて固定することでも良い。
【００８４】
受け材11は大梁２ａ及び小梁２ｃと平行な面が上向きに配置されており、ＡＬＣパネル３の下側には山形鋼の厚さ分が突出するだけなのでＡＬＣパネル３の下側に大きな空間が確保出来、この部分に配管等を行う場合に自由度が高く、好ましい。
【００８５】
また、ビス12に加わる長期的な荷重によりビス12に抜けが生じた場合もビス12の長さを適宜設計することによりある程度抜け出した時にビス12の頭部がＡＬＣパネル３の側面に当たるのでビス12が完全に抜けるのを防止することが出来る。
【００８６】
受け材11に金属製部材を用いる場合には厚さ１〜１０mm程度として、特に厚さ１〜４mmの場合は荷重により局部的変形等が生じないように適宜絞り加工によりリブを設けたり溶接により補強材を設けたりするのが好ましい。
【００８７】
受け材11のＡＬＣパネル３を載置する水平片11ｂの幅は、大梁２ａ及び小梁２ｃとＡＬＣパネル３の側面との間のクリアランス寸法を考慮し、地震等でＡＬＣパネル３に動きが生じて一方のクリアランスがなくなって大梁２ａ及び小梁２ｃとＡＬＣパネル３の側面が当接した場合でもＡＬＣパネル３が脱落しないように反対側の受け材11上にＡＬＣパネル３が２０mm程度以上かかるように設定するのが好ましい。大梁２ａ及び小梁２ｃとＡＬＣパネル３の側面との間のクリアランス寸法を５〜２０mm、受け材11の水平片11ｂの幅を４０〜１００mmとする。
【００８８】
また、受け材11の起立片11ａの高さ寸法は一般には４０〜１５０mm程度とする。受け材11の起立片11ａの高さ寸法を大きくして受け材11を大梁２ａ及び小梁２ｃに固定するビス12の高さ位置と、ＡＬＣパネル３を受ける水平片11ｂの高さ位置との距離を大きくすることで受け材11の固定強度を大きくすることが出来る。
【００８９】
但し、図２に示す本実施形態とは逆に受け材11の起立片11ａが水平片11ｂよりも下方になるように配置してビス12により大梁２ａ及び小梁２ｃに固定された場合は、上側のビス12の高さ位置を受け材11の水平片11ｂの高さ位置に近づけた方が受け材11の固定強度を大きく出来る。
【００９０】
構造用合板５とＡＬＣパネル３との間に介在させる中間部材13は、ＡＬＣパネル３の表面に生じる若干の不陸（凹凸）の調整機能と、衝撃音、空気伝播音等に対する遮音性能と、面内剪断耐力の増減調整機能の中から少なくとも一つの機能を有する部材を用いて構成されるものである。
【００９１】
本実施形態では、中間部材13として不陸調整及び遮音性向上の目的で厚さ６mmのアスファルトをシート状に成形して用いている。また、特に遮音性向上のために重量増を目的としてアスファルトシートに鉛、鉄等の比重がアスファルトより十分に大きい粉体からなる重量増量材を用いるのも効果的である。
【００９２】
また、中間部材13の他の構成として、アスファルト、ゴムシート、不織布、セメント質材料、珪酸カルシウム質、陶磁器質等の窯業系材料や金属板、金属網、金属粉等を適宜組み合わせて厚さ２〜５０mm程度のものを用いるのも好ましい。
【００９３】
尚、中間部材13に弾性の低い材料を用いる場合、ＡＬＣ専用ビス７は中間部材13で曲げ変形を生じ易いため、このような場合は中間部材13の厚さは適宜小さく設定する。
【００９４】
上記構成によれば、構造用合板５とスラブパネルとなるＡＬＣパネル３との間に平面状の中間部材13を介在させたことでＡＬＣパネル３の上面と横架材となる大梁２ａ，２ｂ、小梁２ｃ及び隣接するＡＬＣパネル３相互間の上面との予期せぬ段差（不陸）を吸収することが出来る。
【００９５】
また、中間部材13の厚さ寸法を調整することでスラブ面のレベル調整が容易に出来る。また、中間部材13を介在させたことで上下階の遮音性を向上させることが出来る。他の構成は前記第１実施形態と同様に構成され、同様な効果を得ることが出来る。
【００９６】
次に、図３及び図４を用いて本発明に係る床スラブ構造の第３実施形態について説明する。尚、前記第１、第２実施形態と同様に構成したものは同一の符号を付して説明を省略する。
【００９７】
本実施形態の床スラブ構造Ｃでは、ＡＬＣパネル３の上面が大梁２ａ，２ｂの上面よりも３０mm程度低い位置に配置されるように受け材11の取り付け高さ位置が設定されている。尚、ＡＬＣパネル３の上面高さ位置は大梁２ａ，２ｂの上面よりも３〜５０mm低い位置が好ましい。
【００９８】
ＡＬＣパネル３の上面には中間部材13としてモルタルが大梁２ａ，２ｂと面一になるまで打設されている。モルタルはＡＬＣパネル３の表面に生じる若干の不陸を調整すると共に遮音性、面内剪断耐力を向上する。また、面外曲げ剛性も向上させ、スラブ面の歩行時の撓みや振動が発生せず、好ましい。
【００９９】
モルタルの骨材は平均径０．５〜１mm程度なので最小塗り厚は３mm以上とすると仕上がり面が平滑となる上、施工性に優れているので好ましい。
【０１００】
ＡＬＣパネル３相互間の長辺目地には図４に示すように溝３ｃが形成されており、該溝３ｃに中間部材13で用いたと同じモルタルが充填されている。溝３ｃは例えば、深さ４０mm、幅はＡＬＣパネル３の表面において３０mmで下方に向かって幅広に形成されており、最も広い部分は４０mm程度となっている。
【０１０１】
溝３ｃに充填されたモルタルは隣接するＡＬＣパネル３相互を面外、面内に連結すると共に、遮音、耐火上の弱点となる隙間が生じるのを防止している。ＡＬＣパネル３の表面に設けられた中間部材13としてのモルタルとＡＬＣパネル３相互の目地部の溝３ｃに充填されるモルタルとを同時に施工することにより両者が一体的に固化して遮音性、面内剪断剛性を向上すると共に工期が短縮出来て好ましい。
【０１０２】
ＡＬＣパネル３相互間の長辺目地部には該ＡＬＣパネル３の長辺端部よりも３００mm程度内側の位置にコッター14が配置されている。これにより、隣接するＡＬＣパネル３相互の長辺目地にずれが生じるのを防止し、構造用合板５相互間の目地ずれを抑制する効果を高めている。
【０１０３】
また、この場合は隣接する構造用合板５を各々異なるＡＬＣパネル３に固着しても同一のＡＬＣパネル３に固着した時と略同じ効果を得ることが出来る。
【０１０４】
これにより高い面内剪断耐力を確保することが出来、ＡＬＣパネル３相互間の目地ずれが発生することを防止して構造用合板５相互間の目地ずれを防止する効果を高めている。
【０１０５】
尚、コッター14は隣接するＡＬＣパネル３の長辺目地に両ＡＬＣパネル３に亘って跨がって形成された直径２０〜１００mm、深さ２０〜８０mmの円柱状の穴にモルタル、接着材等を充填したり、或いは前記円柱状の穴よりも若干大きな外径を有する中空若しくは中実の円柱状部材の成形品を打ち込むことにより構成される。
【０１０６】
ＡＬＣパネル３の大梁２ａ，２ｂ及び小梁２ｃとの取り合い部は、ＡＬＣパネル３の一方の側面を大梁２ａ，２ｂ及び小梁２ｃに直接当接させ、該ＡＬＣパネル３の他方の側面と大梁２ａ，２ｂ及び小梁２ｃとの間にクリアランスを設ける方法でも良く、これによってＡＬＣパネル３、大梁２ａ，２ｂ及び小梁２ｃの寸法誤差、施工誤差を調整することが出来る。
【０１０７】
構造用合板５のＡＬＣパネル３に対する固定は、前述の各実施形態と同様にＡＬＣ専用ビス７を用いて固定しても良いが、モルタルが硬化するとＡＬＣ専用ビス７を下穴なしで打ち込むことが困難になる。
【０１０８】
従って、本実施形態では図４に示すように、少なくともモルタル層を貫通する下穴を予め開けておき、該下穴を用いてＡＬＣパネル３の層に打ち込む際に先端が拡張するＡＬＣ専用釘16を用いている。また、モルタルに下穴なしでビスを打ち込む場合は軽量骨材を用いた軽量モルタルを用いると良い。
【０１０９】
また、ＡＬＣパネル３の側面と大梁２ａ，２ｂ及び小梁２ｃとの間に設けたクリアランスの上部には中間部材13となるモルタルが下方に流れ出さないように且つクリアランスを確保出来るようにセラミックファイバー、グラスファイバー、ロックウール、発泡ポリエチレン、発泡ウレタン等の弾性を有する充填材17が嵌め込まれている。他の構成は前記各実施形態と同様に構成され、同様な効果を得ることが出来る。
【０１１０】
【発明の効果】
本発明は、上述の如き構成と作用とを有するので、建築物の平行に配置された横架材の間に嵌め込まれて幅方向に端部が隣接するように配置され、長さ方向の両端部が受け材に載置して支持された複数枚のスラブパネル上に複数の構造用面材が相互に隣接して配置され、前記横架材及び前記スラブパネルに前記複数の構造用面材の一部が固定されたことで、地震等により建物に加わる水平力は横架材から構造用面材に効果的に伝達される。
【０１１１】
また、前記スラブパネルの面外曲げ剛性が前記構造用面材のそれよりも大きく、構造用面材よりも面外曲げ剛性の大きいスラブパネルに該構造用面材が固着されることで該構造用面材の面外曲げ剛性がスラブパネルにより補強され、構造用面材に面内力による座屈が生じ難く、高い面内剪断耐力を確保することが出来る。
【０１１２】
また、前記スラブパネルと該スラブパネルが嵌め込まれた前記横架材との間にクリアランスを設けたので、該スラブパネルに面内剪断力が加わる恐れもなく、スラブパネルの製品寸法誤差を吸収することが出来、スラブパネルを横架材の間に嵌め込む作業が容易である。また、各部材に生じる熱、水分移動に伴う膨張収縮により生じる反り等の変形の逃げ場が確保出来、各部材に損傷が生じたり、部材間の摩擦による不快な音（床鳴り）の発生を防止出来るので好ましい。また、施工後のメンテナンスや補強工事等も容易である。
【０１１３】
また、構造用面材に加わる垂直荷重は該構造用面材に面的に接触するスラブパネルに伝達されてスラブ面の鉛直方向の高い曲げ剛性が得られ、スラブ面の変位が生じ難い。また、スラブ面の鉛直方向の振動、衝撃に対する抵抗力が高まり、下階に振動、衝撃が伝わり難く遮音性にも優れる。また、構造用面材とスラブパネルが面的に接触することから構造用面材を取り付ける根太の反りや回転等の変形を防止し、更に遮音性を向上させ、更には大きな施工誤差を許容することが出来る。
【０１１４】
また、複数の構造用面材の互いに隣接する目地部近傍が同一のスラブパネルまたは同一の横架材に固定された場合には、隣接する構造用面材相互の目地ずれが効果的に防止出来、面内剪断耐力に優れた床スラブ構造を得ることが出来る。
【０１１５】
また、各部材の取り合いが簡単で各部材の寸法誤差や取り付け誤差の影響を受け難く施工管理が容易で安定した面内剪断耐力の確保が出来、施工時のスラブパネルの保全を確保することが出来る。
【０１１６】
また、前記クリアランスに前記スラブパネル及び横架材よりも弾性率の低い充填材を充填した場合には、該充填材の材質を適宜選択することにより音、熱、火の漏れを防止することが出来る。
【０１１７】
また、前記構造用面材と前記スラブパネルとの間に平面状の中間部材を介在させた場合には、スラブパネルの上面と横架材の上面との予期せぬ段差（不陸）を吸収することが出来る。また、中間部材の厚さ寸法を調整することでスラブ面のレベル調整が容易に出来る。また、中間部材を介在させたことで上下階の遮音性を向上させることが出来る。
【図面の簡単な説明】
【図１】  本発明に係る床スラブ構造の第１実施形態の構成を示す斜視図である。
【図２】  本発明に係る床スラブ構造の第２実施形態の構成を示す断面説明図である。
【図３】  本発明に係る床スラブ構造の第３実施形態の構成を示す断面説明図である。
【図４】  図３の左右方向から見た断面説明図である。
【図５】  第１公知例を説明する図である。
【図６】  第２公知例を説明する図である。
【符号の説明】
Ａ〜Ｃ…床スラブ構造
１…柱
２ａ，２ｂ…大梁
２ｃ…小梁
３，３ａ，３ｂ…ＡＬＣパネル
３ｃ…溝
４…受け材
５…構造用合板
５ａ…切り欠き
６…釘
７…ＡＬＣ専用ビス
11…受け材
11ａ…起立片
11ｂ…水平片
12…ビス
13…中間部材
14…コッター
【図１】
0003703631.tif 000002
【図２】
0003703631.tif 000003
【図３】
0003703631.tif 000004
【図４】
0003703631.tif 000005
【図５】
0003703631.tif 000006
【図６】
0003703631.tif 000007